(57)【要約】【課題】オートフォーカスの高速化に対応可能なレンズ駆動装置を提供することを目的とする。【解決手段】レンズ駆動装置は、レンズ保持部材２とレンズ保持部材２を移動可能に支持する付勢部材３とレンズ保持部材２を収容する筐体４を含む固定側部材Ｒ４とレンズ保持部材２の周囲に巻かれたコイル３５とコイル３５に対向する内側と該内側の反対側である外側とで異なる磁極に着磁された複数の駆動用磁石５５とレンズ保持部材２の位置を検出する位置検出手段Ｋ７とを備え、位置検出手段Ｋ７がレンズ保持部材２に固定された検出用磁石７５と、検出用磁石７５に対向して設けられた磁気検出部材７７とを有し、検出用磁石７５が光軸方向ＫＤにおいて互いに異なる磁極に着磁された第１着磁部ＭＧ１と第１着磁部ＭＧ１とは逆の磁極となるように着磁された第２着磁部ＭＧ２とを有し、第１着磁部ＭＧ１と第２着磁部ＭＧ２とが隣接して設けられたことを特徴としている。【選択図】図５
2018004718.tif 000002
【特許請求の範囲】
【請求項１】
レンズ体を保持可能な筒状のレンズ保持部材と、
該レンズ保持部材を光軸方向へ移動可能に支持する付勢部材と、
前記レンズ保持部材を収容する筐体を含む固定側部材と、
前記レンズ保持部材の周囲に巻かれた環状のコイルと、
該コイルに対向配置され前記固定側部材に固定される複数の駆動用磁石と、
を備えたレンズ駆動装置において、
前記レンズ保持部材の前記光軸方向における位置を検出する位置検出手段を有し、
該位置検出手段は、前記レンズ保持部材に固定された検出用磁石と、該検出用磁石に対向して設けられた磁気検出部材と、を有して構成され、
前記駆動用磁石は、前記コイルに対向する内側と該内側の反対側である外側とで異なる磁極に着磁され、
前記検出用磁石は、前記光軸方向において互いに異なる磁極に着磁された第１着磁部と、該第１着磁部とは逆の磁極となるように着磁された第２着磁部と、を有し、
前記第１着磁部と前記第２着磁部とが隣接して設けられたことを特徴とするレンズ駆動装置。
【請求項２】
前記磁気検出部材は、前記第２着磁部よりも前記第１着磁部に近い位置に配設されていることを特徴とする請求項１に記載のレンズ駆動装置。
【請求項３】
前記筐体は、直方体形状に形成され、
前記駆動用磁石は、光軸を挟んで、前記筐体の対角に位置する一対の角部にそれぞれ１つずつ配置され、
前記検出用磁石は、前記筐体の前記一対の角部とは異なる他の角部に対応する位置における前記レンズ保持部材に配置されていることを特徴とする請求項１または請求項２に記載のレンズ駆動装置。
【請求項４】
前記検出用磁石は、前記第１着磁部及び前記第２着磁部を有する一つの磁石で構成されていることを特徴とする請求項１ないし請求項３のいずれかに記載のレンズ駆動装置。
【請求項５】
前記検出用磁石は、前記第１着磁部を有する第１磁石と、前記第２着磁部を有する第２磁石と、の二つの磁石で構成されていることを特徴とする請求項１ないし請求項３のいずれかに記載のレンズ駆動装置。
【請求項６】
前記磁気検出部材は、前記レンズ保持部材の側方に配置されていることを特徴とする請求項１ないし請求項５のいずれかに記載のレンズ駆動装置。
【請求項７】
前記筐体は、側壁部を有するケースと、該ケースに一体化されるとともに前記コイルに通電するための給電端子が設けられたベース部材と、を有し、
前記磁気検出部材が搭載されるとともに当該磁気検出部材に電気的に接続された複数の外部端子を有する板状部材が、前記外部端子を前記ケースの外方へ露出させた状態で、前記側壁部の内面に沿うように前記筐体内に配設されており、前記給電端子と前記外部端子とが一列に並んで配置されていることを特徴とする請求項６に記載のレンズ駆動装置。
【発明の詳細な説明】
【技術分野】
【０００１】
本発明は、例えばカメラ付き携帯機器に搭載されるレンズ駆動装置に関する。
【背景技術】
【０００２】
近年、携帯電話に代表される携帯機器にカメラ機構が搭載されているのは一般的となってきた。そして、この小型の携帯機器に搭載されるカメラ機構の主要部品であるレンズ駆動装置には、静止画または動画を撮影するためのオートフォーカスに利用されており、小型化への要求に加え、精度良くレンズ体（レンズが装着される鏡筒）を駆動させるという要求が高まってきた。この２つの要求を満たすべきレンズ駆動装置として、レンズ体を保持するレンズホルダ（レンズ保持部材）を駆動するための磁気回路をレンズホルダの周囲に設けたものが良く知られている。
【０００３】
上述したレンズ駆動装置として、特許文献１（従来例）では、図１４に示すようなレンズ駆動装置９００が提案されている。図１４は、従来例のレンズ駆動装置９００を説明する分解斜視図である。
【０００４】
図１４に示すレンズ駆動装置９００は、金属板部材を埋設したベース部材９０１と、図示しないレンズ体を保持可能なレンズ保持体９０３と、金属線材がレンズ保持体９０３に巻回されたコイル９０４と、コイル９０４と等間隔に対向して配設された４つの磁石９０５と、レンズ保持体９０３を光軸方向（図１４に示すＺ方向）に移動可能に支持する弾性部材（下側板ばね９０６及び上側板ばね９０７）と、金属板材からなるヨーク９０８と、環状に形成されたスペーサ部材９０９と、を備えて構成されている。そして、レンズ駆動装置９００が組み立てられると、ベース部材９０１とヨーク９０８とが一体化され、その収容空間に、レンズ保持体（レンズ保持部材）９０３、コイル９０４、４つの磁石９０５等が収容される。
【０００５】
また、レンズ駆動装置９００は、図示しないレンズ体をレンズ保持体９０３に保持し、図示しない撮像素子を実装した実装基板上に取り付けられる。そして、レンズ駆動装置９００により、撮像素子に対して、レンズ体に保持されたレンズを光軸方向（図１４に示すＺ方向）に駆動させ、焦点距離を調整することができる。その際には、ヨーク９０８の四隅に配置された４つの磁石９０５とコイル９０４とヨーク９０８とで磁気回路が形成され、コイル９０４に通電して生じる電磁力により、レンズ保持体９０３を光軸方向に沿って移動させるようにしている。
【先行技術文献】
【特許文献】
【０００６】
【特許文献１】実用新案登録第３１７９６３４号公報
【発明の概要】
【発明が解決しようとする課題】
【０００７】
ところで、昨今は、オートフォーカスによる撮影に際し、早くピントが合わせられることが望まれてきた。そこで、レンズ駆動装置においては、オートフォーカスの高速化、つまり光軸方向へのより速い駆動が要求されてきた。しかしながら、従来例のレンズ駆動装置９００では、レンズ保持体９０３の光軸方向における詳細な位置を制御していないため、レンズ体（レンズ保持体９０３）の位置が定まるまでの時間が長く、オートフォーカスの高速化に対応するのは困難であるという課題があった。
【０００８】
本発明は、上述した課題を解決するもので、オートフォーカスの高速化に対応可能なレンズ駆動装置を提供することを目的とする。
【課題を解決するための手段】
【０００９】
この課題を解決するために、本発明のレンズ駆動装置は、レンズ体を保持可能な筒状のレンズ保持部材と、該レンズ保持部材を光軸方向へ移動可能に支持する付勢部材と、
前記レンズ保持部材を収容する筐体を含む固定側部材と、前記レンズ保持部材の周囲に巻かれた環状のコイルと、該コイルに対向配置され前記固定側部材に固定される複数の駆動用磁石と、を備えたレンズ駆動装置において、前記レンズ保持部材の前記光軸方向における位置を検出する位置検出手段を有し、前記位置検出手段が、前記レンズ保持部材に固定された検出用磁石と、該検出用磁石に対向して設けられた磁気検出部材と、を有して構成され、前記駆動用磁石が前記コイルに対向する内側と該内側の反対側である外側とで異なる磁極に着磁され、前記検出用磁石が、前記光軸方向において互いに異なる磁極に着磁された第１着磁部と、該第１着磁部とは逆の磁極となるように着磁された第２着磁部と、を有し、前記第１着磁部と前記第２着磁部とが隣接して設けられたことを特徴としている。
【００１０】
これによれば、本発明のレンズ駆動装置は、検出用磁石と駆動用磁石との磁界の干渉を打ち消し合うことができ、駆動用磁石が受ける検出用磁石からの磁界の影響を抑制することができる。このため、レンズ保持部材の高さ位置や傾き等の姿勢が検出用磁石により影響を受けることが抑制される。このことにより、位置検出手段がレンズ保持部材の光軸方向における位置を確実に検出して、レンズ保持部材の移動の際に、レンズ保持部材を所定の位置まで速やかに且つ確実に移動させることができる。従って、オートフォーカスの高速化に対応可能なレンズ駆動装置を提供することができる。
【００１１】
また、本発明のレンズ駆動装置は、前記磁気検出部材が前記第２着磁部よりも前記第１着磁部に近い位置に配設されていることを特徴としている。
【００１２】
これによれば、第１着磁部と第２着磁部との磁界が打ち消し合う位置には、磁気検出部材が配設されないこととなる。このため、より近くに位置する第１着磁部からの磁界を磁気検出部材で確実に検出することができる。このことにより、レンズ保持部材の位置を確実に調整することができ、レンズ保持部材を所定の位置まで速やかに且つ確実に移動させることができる。
【００１３】
また、本発明のレンズ駆動装置は、前記筐体が直方体形状に形成され、前記駆動用磁石が光軸を挟んで前記筐体の対角に位置する一対の角部にそれぞれ１つずつ配置され、前記検出用磁石が前記筐体の前記一対の角部とは異なる他の角部に対応する位置における前記レンズ保持部材に配置されていることを特徴としている。
【００１４】
これによれば、コイルと駆動用磁石で作り出す光軸方向への駆動力をレンズ保持部材に対してバランス良く働かせることができる。また、検出用磁石とそれぞれの駆動用磁石との距離を同程度でしかもより長くすることができる。このため、検出用磁石からの磁界の影響をそれぞれの駆動用磁石に対して均等により少なくすることができ、レンズ保持部材の姿勢により影響を与えないものとすることができる。
【００１５】
また、本発明のレンズ駆動装置は、前記検出用磁石が前記第１着磁部及び前記第２着磁部を有する一つの磁石で構成されていることを特徴としている。
【００１６】
これによれば、２つの磁石で構成する場合に比べて、検出用磁石を容易に配設することができるとともに、安く作製することができる。
【００１７】
また、本発明のレンズ駆動装置は、前記検出用磁石が、前記第１着磁部を有する第１磁石と、前記第２着磁部を有する第２磁石と、の二つの磁石で構成されていることを特徴としている。
【００１８】
これによれば、一つの磁石で構成する場合に比べて、検出用磁石からの大きな磁力が得られ易くなり、レンズ保持部材の位置の検出精度を高めることができる。
【００１９】
また、本発明のレンズ駆動装置は、前記磁気検出部材がレンズ保持部材の側方に配置されていることを特徴としている。
【００２０】
これによれば、高さ寸法を小さくすることができる。
【００２１】
また、本発明のレンズ駆動装置は、前記筐体が、側壁部を有するケースと、該ケースに一体化されるとともに前記コイルに通電するための給電端子が設けられたベース部材と、を有し、前記磁気検出部材が搭載されるとともに当該磁気検出部材に電気的に接続された複数の外部端子を有する板状部材が、前記外部端子を前記ケースの外方へ露出させた状態で、前記側壁部の内面に沿うように前記筐体内に配設されており、前記給電端子と前記外部端子とが一列に並んで配置されていることを特徴としている。
【００２２】
これによれば、容易にレンズ保持部材の側方に磁気検出部材を配置することができる。また、給電端子と外部端子とが一列に並んでいるので、レンズ駆動装置が実装される実装基板等のレイアウトが容易となる。
【発明の効果】
【００２３】
本発明のレンズ駆動装置は、検出用磁石と駆動用磁石との磁界の干渉を打ち消し合うことができ、駆動用磁石が受ける検出用磁石からの磁界の影響を抑制することができる。このため、レンズ保持部材の高さ位置や傾き等の姿勢が検出用磁石により影響を受けることが抑制される。このことにより、位置検出手段がレンズ保持部材の光軸方向における位置を確実に検出して、レンズ保持部材の移動の際に、レンズ保持部材を所定の位置まで速やかに且つ確実に移動させることができる。従って、オートフォーカスの高速化に対応可能なレンズ駆動装置を提供することができる。
【図面の簡単な説明】
【００２４】
【図１】本発明の第１実施形態のレンズ駆動装置を説明する分解斜視図である。
【図２】本発明の第１実施形態のレンズ駆動装置を説明する斜視図である。
【図３】本発明の第１実施形態のレンズ駆動装置を説明する図であって、図３（ａ）は、図２をＺ１側から見た上面図であり、図３（ｂ）は、図２をＹ２側から見た正面図である。
【図４】本発明の第１実施形態のレンズ駆動装置を説明する図であって、図４（ａ）は、図２に示すケースを省略した斜視図であり、図４（ｂ）は、図４（ａ）に示す枠状部材及び位置検出手段を更に省略した斜視図である。
【図５】本発明の第１実施形態のレンズ駆動装置を説明する図であって、図５（ａ）は、図４（ａ）をＸ１側から見た側面図であり、図５（ｂ）は、図４（ｂ）をＸ１側から見た側面図である。
【図６】本発明の第１実施形態のレンズ駆動装置を説明する図であって、図６（ａ）は、図２をＺ２側から見た底面図であり、図６（ｂ）は、図６（ａ）に示すベース部材を省略した底面図である。
【図７】本発明の第１実施形態のレンズ駆動装置を説明する図であって、図３（ａ）に示すＶＩＩ−ＶＩＩ線における断面図である。
【図８】本発明の第１実施形態に係わるレンズ駆動装置のレンズ保持部材を説明する図であって、図８（ａ）は、レンズ保持部材の斜視図であり、図８（ｂ）は、図８（ａ）に示すレンズ保持部材にコイルが巻回された斜視図である。
【図９】本発明の第１実施形態に係わるレンズ駆動装置の付勢部材を説明する図であって、図９（ａ）は、図１に示す上側板ばねをＺ１側から見た上面図であり、図９（ｂ）は、図１に示す下側板ばねをＺ１側から見た上面図である。
【図１０】本発明の第１実施形態に係わるレンズ駆動装置のベース部材を説明する図であって、図１０（ａ）は、ベース部材の斜視図であり、図１０（ｂ）は、図１０（ａ）のベース部材に下側板ばねが載置された状態を示す斜視図である。
【図１１】本発明の第１実施形態に係わるレンズ駆動装置の駆動機構を説明する図であって、図６（ｂ）に示す下側板ばね及びレンズ保持部材を省略した底面図である。
【図１２】本発明の第１実施形態に係わるレンズ駆動装置の位置検出手段を説明する図であって、図１２（ａ）は、位置検出手段の斜視図であり、図１２（ｂ）は、図１２（ａ）に示すＹ１側から見た位置検出手段の斜視図である。
【図１３】本発明の第１実施形態に係わるレンズ駆動装置の位置検出手段を説明する図であって、図５（ａ）に示すＰ部分の拡大側面図である。
【図１４】従来例のレンズ駆動装置の分解斜視図である。
【発明を実施するための形態】
【００２５】
以下、本発明の実施の形態について図面を参照して説明する。
【００２６】
［第１実施形態］
図１は、本発明の第１実施形態のレンズ駆動装置１０１を説明する分解斜視図である。図２は、本発明の第１実施形態のレンズ駆動装置１０１を説明する斜視図である。図３（ａ）は、図２をＺ１側から見たレンズ駆動装置１０１の上面図であり、図３（ｂ）は、図２をＹ２側から見たレンズ駆動装置１０１の正面図である。図４（ａ）は、図２に示すレンズ駆動装置１０１の固定側部材Ｒ４であるケース１４を省略した斜視図であり、図４（ｂ）は、図４（ａ）に示す枠状部材４４及び位置検出手段Ｋ７を更に省略した斜視図である。図５（ａ）は、図４（ａ）をＸ１側から見た側面図であり、図５（ｂ）は、図４（ｂ）をＸ１側から見た側面図である。図６（ａ）は、図２をＺ２側から見たレンズ駆動装置１０１の底面図であり、図６（ｂ）は、図６（ａ）に示すベース部材８を省略した底面図である。図７は、図３（ａ）に示すＶＩＩ−ＶＩＩ線における断面図である。なお、図５及び図７においては、コイル３５に電流を流していない初期状態を示している。
【００２７】
本発明の第１実施形態のレンズ駆動装置１０１は、図２、図３及び図６（ａ）に示すような直方体形状の外観を呈し、図１及び図７に示すように、レンズ体（図示していない）を保持可能な筒状のレンズ保持部材２と、レンズ保持部材２を光軸方向ＫＤへ移動可能に支持する付勢部材３と、レンズ保持部材２を収容する筐体４を含む固定側部材Ｒ４と、レンズ保持部材２を光軸方向ＫＤ（図２に示すＺ方向）に沿って移動させる駆動機構Ｍ５と、レンズ保持部材２の光軸方向ＫＤにおける位置を検出する位置検出手段Ｋ７と、を備えて構成されている。
【００２８】
また、本発明の第１実施形態では、付勢部材３は、図４（ｂ）及び図５（ｂ）に示すように、レンズ保持部材２の上部に固定される上側板ばね３Ａと、図５及び図６（ｂ）に示すように、レンズ保持部材２の下部に固定される２つの下側板ばね３Ｃ及び下側板ばね３Ｅと、を備えて構成され、レンズ保持部材２を支持している。
【００２９】
また、固定側部材Ｒ４は、前述した筐体４の他に、図４（ａ）及び図５（ａ）に示すように、レンズ保持部材２の上方（図４（ａ）に示すＺ１方向）に配設された枠状部材４４を有している。また、固定側部材Ｒ４の筐体４は、直方体形状に形成され、図１に示すように、外形が箱状に形成されたケース１４と、図２に示すように、ケース１４に一体化されるベース部材８と、から構成されている。
【００３０】
また、駆動機構Ｍ５は、図４及び図７に示すように、レンズ保持部材２の周囲に巻かれた環状のコイル３５と、コイル３５に対向配置された２つの駆動用磁石５５と、を備えている。
【００３１】
また、位置検出手段Ｋ７は、図４（ａ）及び図５（ａ）に示すように、レンズ保持部材２に固定された検出用磁石７５と、検出用磁石７５に対向して設けられた磁気検出部材７７と、磁気検出部材７７が搭載された板状部材７９と、を備えている。
【００３２】
そして、レンズ駆動装置１０１は、図示しないレンズ体をレンズ保持部材２に保持し、撮像素子を実装した実装基板（図示していない）上に取り付けられる。そして、レンズ体に保持されたレンズを光軸方向ＫＤ（図２に示すＺ方向）に駆動させて焦点距離を調整するために、レンズ駆動装置１０１は、電源からコイル３５に電流が流されて生じる電磁力により、撮像素子に対して、レンズ保持部材２を光軸方向ＫＤに沿って移動させるものである。
【００３３】
次に、各構成部品について詳細に説明する。先ず、レンズ駆動装置１０１のレンズ保持部材２について説明する。図８は、レンズ保持部材２を説明する図であって、図８（ａ）は、レンズ保持部材２の斜視図であり、図８（ｂ）は、図８（ａ）に示すレンズ保持部材２にコイル３５が巻回された斜視図である。
【００３４】
レンズ駆動装置１０１のレンズ保持部材２は、合成樹脂の１つである液晶ポリマー（ＬＣＰ、Liquid Crystal Polymer）等を用い、図８に示すように、筒状に形成されており、円形形状の内周面及び角形形状の外周面（上端側は円形形状）を有する筒部１２と、筒部１２の上端側（図４に示すＺ１側）の外周面から径方向外側に突出した庇部２２と、庇部２２と対向して設けられ筒部１２の下端（図４に示すＺ２側）の外周面から径方向外側に突出した鍔部３２と、から構成されている。そして、レンズ保持部材２は、図４に示すように、ベース部材８の上方（図４に示すＺ１方向）に配置されている。
【００３５】
レンズ保持部材２の筒部１２は、その内周面に、図８に示すように、雌ねじ部１２ｎが形成されており、この雌ねじ部１２ｎに図示しないレンズ体が装着されて、保持される。また、筒部１２の外周面は、図８（ａ）に示すように、鍔部３２と庇部２２とに挟まれた部分が八角形状に形成されており、図８（ｂ）に示すように、この外周面に支持されてコイル３５が八角形状に巻回されている。
【００３６】
また、庇部２２の上方で筒部１２の外周面には、図８に示すように、台座部１２ｄが２箇所に対向して形成されている。そして、レンズ駆動装置１０１が組立てられた際には、図４（ｂ）に示すように、対向する（図４（ｂ）に示すＸ方向）２箇所の台座部１２ｄ（レンズ保持部材２）と付勢部材３の上側板ばね３Ａ（後述する第１部分１３）とが接着剤で固定される。
【００３７】
また、鍔部３２側のレンズ保持部材２の底面には、図６（ｂ）に示すように、下方（図６（ｂ）では紙面手前で図８に示すＺ２方向）に突出する円柱状の凸設部１２ｔが４箇所（２つの凸設部１２ｔ１及び２つの凸設部１２ｔ２）に設けられている。そして、レンズ駆動装置１０１が組立てられた際には、図６（ｂ）に示すように、２つの凸設部１２ｔ１が下側板ばね３Ｃ（後述する第３部分３３）と係合するとともに、２つの凸設部１２ｔ２が下側板ばね３Ｅ（後述する第３部分３３）と係合する。
【００３８】
更に、レンズ保持部材２の底面には、図６（ｂ）に示すように、下方に突出する角柱状の絡げ部１２ｋが２箇所に設けられている。そして、コイル３５のコイル端部のそれぞれが、この絡げ部１２ｋに巻き付けられて、２つの下側板ばね３Ｃ及び下側板ばね３Ｅにそれぞれはんだ付けされている。なお、図６（ｂ）では、２つのコイル端部と下側板ばね３Ｃ及び下側板ばね３Ｅとがはんだ付けされた半田ＨＤを破線で囲まれたクロスハッチングで模式的に示している。
【００３９】
次に、レンズ駆動装置１０１の付勢部材３について説明する。図９は、付勢部材３を説明する図であって、図９（ａ）は、図１に示す上側板ばね３ＡをＺ１側から見た上面図であり、図９（ｂ）は、図１に示す下側板ばね３Ｃ及び下側板ばね３ＥをＺ１側から見た上面図である。
【００４０】
レンズ駆動装置１０１の付勢部材３は、銅合金を主な材質とした金属板から作製されており、図４（ｂ）に示すように、レンズ保持部材２の筒部１２の内周面よりも大径な開口を有し、レンズ保持部材２と枠状部材４４との間に配設される上側板ばね３Ａと、レンズ保持部材２とベース部材８との間に配設される２つの下側板ばね３Ｃ及び下側板ばね３Ｅと、から構成されている。そして、レンズ保持部材２に付勢部材３のそれぞれ（上側板ばね３Ａ、下側板ばね３Ｃ、下側板ばね３Ｅ）の一部が固定されて、レンズ保持部材２が光軸方向ＫＤ（図２に示すＺ方向）へ移動可能になるように、付勢部材３がレンズ保持部材２を空中で支持している。なお、下側板ばね３Ｃ及び下側板ばね３Ｅ（２つの板ばね）は、図６（ｂ）に示すように、半田ＨＤによりコイル３５と電気的に接続されているので、コイル３５への給電部材としての機能も有している。
【００４１】
先ず、付勢部材３の上側板ばね３Ａは、図９（ａ）に示すように、外形形状が略矩形状をしており、レンズ保持部材２に固定される複数（本発明の第１実施形態では２箇所）の第１部分１３と、第１部分１３よりも外周側に位置し固定側部材Ｒ４（具体的には枠状部材４４）に固定される４箇所の第２部分２３と、第１部分１３と第２部分２３との間に設けられた４箇所の弾性腕部５３ａと、第１部分１３から延設されて連結された連結部６３と、４箇所の第２部分２３同士を繋ぐ桟部７３と、を有して構成されている。そして、第１部分１３と連結部６３とで内側形状が円環形状を形成しているとともに、第２部分２３と桟部７３とで外側形状が矩形形状を形成している。
【００４２】
そして、上側板ばね３Ａがレンズ駆動装置１０１に組み込まれた際には、図４（ｂ）に示すように、第１部分１３がレンズ保持部材２の台座部１２ｄに載置され、第１部分１３と台座部１２ｄとを接着剤で固定することにより、上側板ばね３Ａの一方側がレンズ保持部材２に固定されるようになる。なお、
【００４３】
一方、図７に示すように、第２部分２３の２箇所は、駆動用磁石５５の上面と当接しており（図４（ｂ）及び図５を参照）、枠状部材４４とともに、駆動用磁石５５とケース１４とにより挟持される。なお、駆動用磁石５５は、ケース１４に接着剤で固定されている。更に、図示はしていないが、他の２箇所の第２部分２３は、枠状部材４４の下面に接着剤で固定されるので、上側板ばね３Ａの他方側が固定されるようになる。
【００４４】
このようにして、上側板ばね３Ａは、図９（ａ）に示すように、ほぼ線対称の形状に構成されており、レンズ保持部材２に対して第１部分１３の２箇所の均等な位置で固定されているとともに（図４を参照）、固定側部材Ｒ４（ケース１４及び枠状部材４４）に対して第２部分２３の４箇所の均等な位置で固定されている（図７を参照）。これにより、レンズ保持部材２をバランス良く空中で支持することができる。
【００４５】
次に、付勢部材３の下側板ばね３Ｃ及び下側板ばね３Ｅは、図９（ｂ）に示すように、外形形状が略矩形状でそれぞれの内側形状が半円形状をしており、レンズ保持部材２と固定される４箇所の第３部分３３と、ベース部材８と固定される４箇所の第４部分４３と（後述する図１０（ｂ）を参照）、第３部分３３と第４部分４３との間に位置する２箇所の弾性腕部５３ｃ及び弾性腕部５３ｅと、それぞれ２箇所の第３部分３３を繋ぐ第１連鎖部８３と、それぞれ２箇所の第４部分４３を繋ぐ第２連鎖部９３と、を有して構成されている。
【００４６】
また、下側板ばね３Ｃ及び下側板ばね３Ｅの第３部分３３には、図９（ｂ）に示すように、円形の貫通孔３３ｋがそれぞれ形成されている。また、下側板ばね３Ｃ及び下側板ばね３Ｅの第４部分４３には、円形の貫通孔４３ｍがそれぞれ形成されているとともに、それぞれ１箇所に矩形の貫通孔４３ｓ及び貫通孔４３ｔが形成されている。
【００４７】
そして、この下側板ばね３Ｃ及び下側板ばね３Ｅがレンズ駆動装置１０１に組み込まれた際には、図６（ｂ）に示すように、レンズ保持部材２の２つの凸設部１２ｔ１（１２ｔ）が、下側板ばね３Ｃの貫通孔３３ｋ（図９（ｂ）を参照）に挿通されて嵌合されるとともに、レンズ保持部材２の２つの凸設部１２ｔ２（１２ｔ）が、下側板ばね３Ｅの貫通孔３３ｋ（図９（ｂ）を参照）に挿通されて嵌合される。これにより、下側板ばね３Ｃ及び下側板ばね３Ｅの一方側がレンズ保持部材２に位置決めされるとともに、レンズ保持部材２に固定される。なお、この際には、レンズ保持部材２の凸設部１２ｔ（１２ｔ１、１２ｔ２）に熱かしめを施して、より確実に下側板ばね３Ｃ及び下側板ばね３Ｅをレンズ保持部材２に固定している。
【００４８】
一方、後述するベース部材８の上面に設けられた突設部１８ｔ（図１を参照）が、下側板ばね３Ｃ及び下側板ばね３Ｅの貫通孔４３ｍ（図９（ｂ）を参照）に挿通されて嵌合される。これにより、下側板ばね３Ｃ及び下側板ばね３Ｅの他方側がベース部材８に位置決めされるとともに、ベース部材８に固定される。
【００４９】
このようにして、下側板ばね３Ｃと下側板ばね３Ｅとは、図９（ｂ）に示すように、ほぼ線対称の形状に構成されており、レンズ保持部材２に対して第３部分３３の４箇所の均等な位置で接続されているとともに、ベース部材８に対して第４部分４３の４箇所の均等な位置で接続されている。これにより、レンズ保持部材２をバランス良く空中で支持することができる。従って、以上のように構成された付勢部材３は、レンズ保持部材２を光軸方向ＫＤへ移動可能に支持している。
【００５０】
次に、レンズ駆動装置１０１の固定側部材Ｒ４について説明する。図１０（ａ）は、ベース部材８の斜視図であり、図１０（ｂ）は、図１０（ａ）のベース部材８に下側板ばね３Ｃ及び下側板ばね３Ｅが載置された状態を示す斜視図である。
【００５１】
固定側部材Ｒ４は、レンズ保持部材２が光軸方向ＫＤに沿って移動するのに対して、その移動を可能に支持する付勢部材３の一部を固定する機能を有した部材である。つまり、本発明の第１実施形態では、固定側部材Ｒ４は、図１に示すように、駆動用磁石５５との間に上側板ばね３Ａの第２部分２３を挟んで固定するケース１４と、上側板ばね３Ａの第２部分２３が接着剤で固定される枠状部材４４と、下側板ばね３Ｃ及び下側板ばね３Ｅの第４部分４３が固定されるベース部材８と、を備えて構成されている。なお、本発明の第１実施形態では、上側板ばね３Ａの第２部分２３の２箇所を枠状部材４４と駆動用磁石５５とで挟持することにより、上側板ばね３Ａの他方側を固定しているので、この駆動用磁石５５も付勢部材３の一部を固定する固定側部材Ｒ４とも云える。
【００５２】
先ず、固定側部材Ｒ４のケース１４について説明する。ケース１４は、非磁性の金属材料からなる金属板を用いて切断加工、絞り加工等を行い作製されており、図１に示すような外形が箱状に形成されて、図３（ａ）に示すような略矩形状（平面視して）をしている。そして、ケース１４は、平板状の側壁部１４Ａと、側壁部１４Ａの上端（図１に示すＺ１側）と連続して設けられた平板状の上板部１４Ｂと、側壁部１４Ａを繋ぐ部分に位置する角部１４Ｃと、を有して構成されており、上板部１４Ｂに略円形状の開口部１４ｋが形成されている。
【００５３】
また、ケース１４は、図２に示すように、レンズ保持部材２、付勢部材３（上側板ばね３Ａ、下側板ばね３Ｃ、下側板ばね３Ｅ）、枠状部材４４及び駆動機構Ｍ５（コイル３５及び駆動用磁石５５）を覆うようにして、それら部材を収容して、下方（図２に示すＺ２方向）に配設されたベース部材８に係合され、ベース部材８と一体化されている。
【００５４】
次に、固定側部材Ｒ４の枠状部材４４について説明する。枠状部材４４は、ポリブチレンテレフタレート（ＰＢＴ、polybutyleneterephtalate）等の合成樹脂を用い、図１に示すように、中央に矩形状の開口部４４ｋを有し略矩形形状をなした枠体である。そして、枠状部材４４は、互いに対向する一組の辺である第１延在部４４Ａと、この一組の辺と交差する他の一組の辺である第２延在部４４Ｂと、第１延在部４４Ａと第２延在部４４Ｂとを接続する角側部４４Ｃと、を備えて構成されている。
【００５５】
そして、枠状部材４４がレンズ駆動装置１０１に組み込まれた際には、図４（ａ）及び図５（ａ）に示すように、上側板ばね３Ａの上方に配設されて、図７に示すように、対角に配置された枠状部材４４の角側部４４Ｃと駆動用磁石５５とで上側板ばね３Ａの第２部分２３を挟持するようになる。また、図４（ａ）に示すように、枠状部材４４の第１延在部４４Ａが上側板ばね３Ａの連結部６３の外周側に沿って延在するとともに、枠状部材４４の第２延在部４４Ｂの中間部が上側板ばね３Ａの第１部分１３と対向して位置するようになる。
【００５６】
次に、固定側部材Ｒ４のベース部材８について説明する。ベース部材８は、レンズ保持部材２と同じ液晶ポリマー（ＬＣＰ）等の合成樹脂材を用いて射出成形して作製されており、図１０（ａ）に示すように、外形が矩形の板状形状で構成され、その中央部分に円形状の開口部８ｋを有する環状形状に形成されている。また、ベース部材８の上面には、図１０（ａ）に示すように、上方に向けて突出する４つの突設部１８ｔ（２つの突設部１８ｔ１及び２つの突設部１８ｔ２）が四隅に設けられている。そして、前述したが、図１０（ｂ）に示すように、下側板ばね３Ｃ及び下側板ばね３Ｅの貫通孔４３ｍ（図９（ｂ）を参照）に、この突設部１８ｔが挿通されて嵌合される。なお、この際には、ベース部材８の突設部１８ｔに熱かしめを施して、より確実に下側板ばね３Ｃ及び下側板ばね３Ｅをベース部材８に固定している。
【００５７】
また、ベース部材８には、図１０（ａ）に示すように、銅や鉄若しくはそれらを主成分とした合金等の材質を用いた金属板からなる３つの端子Ｔ９（給電端子Ｔ９Ｃ、給電端子Ｔ９Ｅ、グランド端子Ｔ９Ｇ）が、インサート成形されて埋め込まれている。この電気的に絶縁された３つの端子Ｔ９のそれぞれは、図示していない撮像素子を実装した実装基板の電極ランドと電気的に接続され、この実装基板の電極ランドから電力を供給できるとともに、電極ランドに接地されるようになっている。つまり、給電端子Ｔ９Ｃ及び給電端子Ｔ９Ｅが電源に接続され、グランド端子Ｔ９Ｇがグランドに接続されている。
【００５８】
また、給電端子Ｔ９Ｃは、図１０（ｂ）に示す下側板ばね３Ｃの貫通孔４３ｓの部分で、図１０（ａ）に示す接続部Ｔ９ｄと電気的に接続されるとともに、給電端子Ｔ９Ｅは、図１０（ｂ）に示す下側板ばね３Ｅの貫通孔４３ｔの部分で、図１０（ａ）に示す接続部Ｔ９ｆと電気的に接続されている。これにより、この給電端子Ｔ９Ｃ及び給電端子Ｔ９Ｅから、下側板ばね３Ｃ及び下側板ばね３Ｅを介して、コイル３５に電流を流す（通電する）ことができる。なお、下側板ばね３Ｃ及び下側板ばね３Ｅと給電端子Ｔ９Ｃ及び給電端子Ｔ９Ｅとの接続は、図示はしていないが、はんだ付けや溶接等により容易に接続される。
【００５９】
また、ベース部材８には、詳細な図示はしていないが、銅や鉄若しくはそれらを主成分とした合金等の材質を用いた金属板からなる接続部材５９も、３つの端子Ｔ９と同様に、インサート成形されて埋め込まれており、接続部材５９の一部は、図３（ａ）に示すように、ケース１４の四隅に一部を露出している。そして、ケース１４の側壁部１４Ａの内壁とベース部材８の外周側面が組み合わされて位置決めされた後に、ベース部材８の接続部材５９とケース１４の四隅とのつなぎ目部分を４箇所溶接して、ケース１４をベース部材８に固定している。なお、接続部材５９の少なくとも一部は、グランド端子Ｔ９Ｇと一体に形成されている。このため、ケース１４は、接続部材５９及びグランド端子Ｔ９Ｇを介して、接地可能となっている。
【００６０】
次に、レンズ駆動装置１０１の駆動機構Ｍ５について説明する。図１１は、駆動機構Ｍ５を説明する図であって、図６（ｂ）に示す下側板ばね３Ｃ、下側板ばね３Ｅ及びレンズ保持部材２を省略した底面図である。図１１には、ケース１４、枠状部材４４、上側板ばね３Ａ、駆動機構Ｍ５及び位置検出手段Ｋ７が図示されている。
【００６１】
駆動機構Ｍ５は、レンズ保持部材２を光軸方向ＫＤ（図１に示すＺ方向）に沿って移動させる機能を有し、図４（ａ）に示すように、レンズ保持部材２の周囲に巻かれた環状のコイル３５と、コイル３５に対向配置された２つの駆動用磁石５５と、を備えて構成されている。
【００６２】
先ず、駆動機構Ｍ５のコイル３５は、外周に絶縁被覆（コーティング）が施された金属線材からなり、図８（ｂ）に示すように、レンズ保持部材２の外周に巻回されて、図１１に示すように、略八角形の環状に形成さている。その際には、コイル３５は、図８（ｂ）に示すように、庇部２２と鍔部３２との間に配設され、角形形状の外周面に内側から支持されて固定される。なお、コイル３５は、金属線材が巻回されて束ねられた形状となっているが、図１、図４及び図８（ｂ）等では、簡略化して、表面を平坦にして示している。
【００６３】
また、コイル３５は、巻回された金属線材の両端部が電気的に導通可能となっており、前述したように、図６（ｂ）に示すように、コイル端部のそれぞれが２つの下側板ばね３Ｃ及び下側板ばね３Ｅとはんだ付けされて電気的に接続されている。
【００６４】
次に、駆動機構Ｍ５の駆動用磁石５５は、例えばサマリウムコバルト磁石を２つ用い、図１１に示すように、光軸を挟んで筐体４（ケース１４）の対角に位置する一対の角部１４Ｃにそれぞれ１つずつ配置され、コイル３５と対向配置されている。また、駆動用磁石５５は、この角部１４Ｃに駆動用磁石５５を効率良く配置するため、横断面形状が台形形状に作製されており、上底が角部１４Ｃに対向し、下底がコイル３５に対向し、脚が側壁部１４Ａに沿った形状となっている。そして、駆動用磁石５５は、脚が側壁部１４Ａに押し付けられて、固定側部材Ｒ４であるケース１４に接着剤で固定されている。なお、駆動用磁石５５は、コイル３５に対向する内側（台形形状の下底側）と内側の反対側である外側（台形形状の上底側）とで異なる磁極となるように着磁されている。
【００６５】
以上のようにして、レンズ保持部材２及びコイル３５とケース１４及び駆動用磁石５５とが各々配設されて構成されているので、レンズ駆動装置１０１は、電源からコイル３５に電流が流されて生じる電磁力により、電流が流れる方向に対応してコイル３５に推力が働き、レンズ保持部材２が上下に移動するようになっている。しかも、本発明の第１実施形態では、駆動用磁石５５が光軸を挟んで筐体４の対角に位置する一対の角部１４Ｃにそれぞれ１つずつ配置されているので、コイル３５と駆動用磁石５５で作り出す光軸方向ＫＤへの駆動力をレンズ保持部材２に対してバランス良く働かせることができる。
【００６６】
最後に、レンズ駆動装置１０１の位置検出手段Ｋ７について説明する。図１２（ａ）は、位置検出手段Ｋ７の斜視図であり、図１２（ｂ）は、図１２（ａ）に示すＹ１側から見た位置検出手段Ｋ７の斜視図である。図１３は、位置検出手段Ｋ７を説明する図であって、図５（ａ）に示すＰ部分の拡大側面図である。なお、図５（ａ）、図１２及び図１３には、着磁された磁極の境界線を二点鎖線で示している。
【００６７】
位置検出手段Ｋ７は、図１２に示すように、レンズ保持部材２に固定された（図４（ａ）及び図５（ａ）を参照）検出用磁石７５と、検出用磁石７５に対向して設けられた磁気検出部材７７と、磁気検出部材７７が搭載された板状部材７９と、を備えている。
【００６８】
先ず、位置検出手段Ｋ７の検出用磁石７５は、例えばサマリウムコバルト磁石を１つ用いて直方体形状に形成され、図４（ａ）に示すように、レンズ保持部材２の鍔部３２上に配設されて接着剤によって固定されている。これにより、レンズ保持部材２の移動に伴って検出用磁石７５が移動するようになっている。
【００６９】
また、検出用磁石７５は、図１２及び図１３に示すように、光軸方向ＫＤにおいて、互いに異なる磁極に着磁された第１着磁部ＭＧ１と、第１着磁部ＭＧ１とは逆の磁極となるように着磁された第２着磁部ＭＧ２と、を有しており、第１着磁部ＭＧ１と第２着磁部ＭＧ２とが隣接して設けられている。具体的には、図１３に示すように、磁気検出部材７７に近い側の第１着磁部ＭＧ１は、上方側がＳ極、下方側がＮ極に着磁され、第２着磁部ＭＧ２は、第１着磁部ＭＧ１とは逆の磁極となるように、上方側がＮ極、下方側がＳ極に着磁されている。これにより、検出用磁石７５と駆動用磁石５５との磁界の干渉を打ち消し合うことができ、駆動用磁石５５が受ける検出用磁石７５からの磁界の影響を抑制することができる。このことは、Ｎ極とＳ極の一組で着磁された磁石を用いた場合に、検出用磁石７５と駆動用磁石５５との磁界同士が干渉し、この干渉により、初期状態において、レンズ保持部材２の高さ位置のズレが発生したり、レンズ保持部材２の姿勢が傾むいたり、と云う課題を解決することとなる。
【００７０】
また、本発明の第１実施形態では、検出用磁石７５は、図１１に示すように、筐体４（ケース１４）の一対の角部１４Ｃ（駆動用磁石５５が配置されている角部１４Ｃ）とは異なる他の角部１４Ｃに対応する位置に配置されている。これにより、検出用磁石７５とそれぞれの駆動用磁石５５との距離を同程度でしかもより長くすることができる。このため、検出用磁石７５からの磁界の影響をそれぞれの駆動用磁石５５に対して均等により少なくすることができ、レンズ保持部材２の姿勢に対してより影響を与えないものとすることができる。
【００７１】
なお、本発明の第１実施形態では、検出用磁石７５が一つの磁石で構成されいるので、２つの磁石で構成する場合に比べて、検出用磁石７５を容易に配設することができるとともに、安く作製することができる。
【００７２】
次に、位置検出手段Ｋ７の磁気検出部材７７は、磁気の変化を検出するホール素子を用いており、４つの端子部（図１２（ｂ）では、片側の２つの端子部のみを示しており、７７ａ及び７７ｂとして図示している）を外側に露出して、このホール素子を内蔵したパッケージで形成されている。
【００７３】
また、磁気検出部材７７は、後述する板状部材７９の４つの導電部材７９ｄとはんだ付けされて、検出用磁石７５と対向するようにして板状部材７９に固定されている。これにより、磁気検出部材７７をレンズ保持部材２の側方に配置する構成となり、レンズ保持部材２の上方側或いは下方側に配置する場合と比較して、高さ寸法を小さくすることができる。なお、ホール素子の感磁方向は、図１２に示すＹ方向となっている。
【００７４】
そして、磁気検出部材７７は、レンズ保持部材２に固定されている検出用磁石７５が発生し、光軸方向ＫＤの移動による磁界の変化を検出することができる。このため、本発明の第１実施形態のレンズ駆動装置１０１は、レンズ保持部材２の光軸方向ＫＤにおける位置を検出することができ、レンズ保持部材２の実際の位置を調整することができる。このことにより、調整して位置が明確になっているレンズ保持部材２を例えば画像のピントが合う位置等の所定の位置まで速やかに移動させることができる。従って、レンズ保持部材２の位置が定まるまでの時間を短縮することができ、レンズ保持部材２を所定の位置まで速やかに且つ確実に移動させることができる。
【００７５】
また、磁気検出部材７７が第２着磁部ＭＧ２よりも第１着磁部ＭＧ１に近い位置に配設されているので、第１着磁部ＭＧ１と第２着磁部ＭＧ２との磁界が打ち消し合う位置には、磁気検出部材７７が配設されないこととなる。このため、第１着磁部ＭＧ１からの磁界を磁気検出部材７７で確実に検出することができる。このことにより、レンズ保持部材２の位置を確実に調整することができ、レンズ保持部材２を所定の位置まで速やかに且つ確実に移動させることができる。
【００７６】
次に、位置検出手段Ｋ７の板状部材７９は、図１２（ｂ）に示すように、導電性の金属部材で形成された４つの外部端子７９ｃと、この外部端子７９ｃと一体に形成され導電パターンを形成する導電部材７９ｄと、外部端子７９ｃを露出して導電部材７９ｄを埋設する基材部７９ｆと、を備えて構成されている。そして、板状部材７９には、磁気検出部材７７が搭載されて、板状部材７９の４つの外部端子７９ｃは、磁気検出部材７７と導電部材７９ｄを介して電気的に接続される。
【００７７】
また、レンズ駆動装置１０１が組み立てられた際には、板状部材７９は、図１１に示すように、ケース１４の側壁部１４Ａの内面に沿うように筐体４内に配設されており、図２に示すように、外部端子７９ｃがケース１４の外方へ露出させた状態となっている。そして、この４つの外部端子７９ｃは、ベース部材８の端子Ｔ９とともに、図示していない撮像素子を実装した実装基板の電極ランドと電気的に接続される。これにより、容易にレンズ保持部材２の側方に磁気検出部材７７を配置することができる。また、３つの端子Ｔ９（給電端子Ｔ９Ｃ、給電端子Ｔ９Ｅ、グランド端子Ｔ９Ｇ）と外部端子７９ｃとが一列に並んでいるので（図６（ａ）を参照）、レンズ駆動装置１０１が実装される実装基板等のレイアウトが容易となる。なお、板状部材７９は、筐体４を構成するベース部材８とケース１４との少なくともいずれか一方に接着剤で固定されている。
【００７８】
以上のように構成された位置検出手段Ｋ７は、レンズ保持部材２の移動に伴って検出用磁石７５が移動することにより、検出用磁石７５から発生する磁束が変化し、この磁束の変化を磁気検出部材７７で検出している。これにより、位置検出手段Ｋ７は、磁束の変化に対応した位置、すなわちレンズ保持部材２の光軸方向ＫＤにおける位置を検出することができる。
【００７９】
最後に、以上に構成されたレンズ駆動装置１０１の動作について簡単に説明する。
【００８０】
先ず、レンズ駆動装置１０１においては、コイル３５の両端部が下側板ばね３Ｃ及び下側板ばね３Ｅを介して給電端子Ｔ９Ｃと給電端子Ｔ９Ｅとに電気的に接続されているため、給電端子Ｔ９Ｃ及び給電端子Ｔ９Ｅからコイル３５に電流を流すことができる。一方、駆動用磁石５５からの磁束は、駆動用磁石５５を発してコイル３５を通過して駆動用磁石５５に戻るものとなっている。
【００８１】
この初期状態から、給電端子Ｔ９Ｃ側からコイル３５に電流を流すと、コイル３５にはフレミングの左手の法則に従って、光軸方向ＫＤであるＺ１方向からＺ２方向へ向かう電磁力が発生する。そして、レンズ保持部材２がＺ２方向に移動することとなる。一方、給電端子Ｔ９Ｅ側からコイル３５に電流を流すと、光軸方向ＫＤであるＺ２方向からＺ１方向へ向かう電磁力が発生し、レンズ保持部材２がＺ１方向に移動することとなる。
【００８２】
このように、コイル３５に電流を流すことで、コイル３５に発生する電磁力により、レンズ駆動装置１０１は、上側板ばね３Ａと下側板ばね３Ｃ及び下側板ばね３Ｅとのどちらか一方の付勢力に反して、図示しないレンズ体をレンズ保持部材２と一体にして、光軸方向ＫＤ（図２に示すＺ方向）に沿って移動させることが可能となる。なお、コイル３５に流される電流は、位置検出手段Ｋ７で検出したレンズ保持部材２の光軸方向ＫＤにおける位置精度に基づいて制御される。
【００８３】
以上のように構成された本発明の第１実施形態のレンズ駆動装置１０１における、効果について、以下に纏めて説明する。
【００８４】
本発明の第１実施形態のレンズ駆動装置１０１は、レンズ保持部材２の光軸方向ＫＤにおける位置を検出する位置検出手段Ｋ７を有しているので、レンズ保持部材２の位置を調整することができ、調整して位置が明確になっているレンズ保持部材２を例えば画像のピントが合う位置等の所定の位置まで速やかに移動させることができる。このため、レンズ保持部材２の位置が定まるまでの時間を短縮することができる。しかも、位置検出手段Ｋ７として簡単な構成の検出用磁石７５と磁気検出部材７７とを用いたとしても、検出用磁石７５が光軸方向ＫＤにおける磁極が逆となる第１着磁部ＭＧ１と第２着磁部ＭＧ２とを有するので、検出用磁石７５と駆動用磁石５５との磁界の干渉を打ち消し合うことができ、駆動用磁石５５が受ける検出用磁石７５からの磁界の影響を抑制することができる。このため、レンズ保持部材２の高さ位置や傾き等の姿勢が検出用磁石７５により影響を受けることを抑制できる。これらのことにより、位置検出手段Ｋ７がレンズ保持部材２の光軸方向ＫＤにおける位置を確実に検出して、レンズ保持部材２の移動の際に、レンズ保持部材２を所定の位置まで速やかに且つ確実に移動させることができる。従って、オートフォーカスの高速化に対応可能なレンズ駆動装置１０１を提供することができる。
【００８５】
また、磁気検出部材７７が第２着磁部ＭＧ２よりも第１着磁部ＭＧ１に近い位置に配設されているので、第１着磁部ＭＧ１と第２着磁部ＭＧ２との磁界が打ち消し合う位置には、磁気検出部材７７が配設されないこととなる。このため、第１着磁部ＭＧ１からの磁界を磁気検出部材７７で確実に検出することができる。このことにより、レンズ保持部材２の位置を確実に調整することができ、レンズ保持部材２を所定の位置まで速やかに且つ確実に移動させることができる。
【００８６】
また、駆動用磁石５５が光軸を挟んで筐体４の対角に位置する一対の角部１４Ｃにそれぞれ１つずつ配置されているので、コイル３５と駆動用磁石５５で作り出す光軸方向ＫＤへの駆動力をレンズ保持部材２に対してバランス良く働かせることができる。また、検出用磁石７５が一対の角部１４Ｃとは異なる他の角部１４Ｃに対応する位置に配置されているので、検出用磁石７５とそれぞれの駆動用磁石５５との距離を同程度でしかもより長くすることができる。このため、検出用磁石７５からの磁界の影響をそれぞれの駆動用磁石５５に対して均等により少なくすることができ、レンズ保持部材２の姿勢に対してより影響を与えないものとすることができる。
【００８７】
また、検出用磁石７５が一つの磁石で構成されいるので、２つの磁石で構成する場合に比べて、検出用磁石７５を容易に配設することができるとともに、安く作製することができる。
【００８８】
また、磁気検出部材７７をレンズ保持部材２の側方に配置する構成とすることで、レンズ保持部材２の上方側或いは下方側に配置する場合と比較して、高さ寸法を小さくすることができる。
【００８９】
また、磁気検出部材７７を搭載した板状部材７９を筐体４に配置することで、容易にレンズ保持部材２の側方に磁気検出部材７７を配置することができる。また、給電端子Ｔ９Ｃ及び給電端子Ｔ９Ｅ（グランド端子Ｔ９Ｇも含む）と外部端子７９ｃとが一列に並んでいるので、レンズ駆動装置１０１が実装される実装基板等のレイアウトが容易となる。
【００９０】
なお、本発明は上記実施形態に限定されるものではなく、例えば次のように変形して実施することができ、これらの実施形態も本発明の技術的範囲に属する。
【００９１】
＜変形例１＞
上記第１実施形態では、検出用磁石７５として、１つの磁石を用いて簡易な構成としたが、これに限るものではない。例えば、検出用磁石７５が、第１着磁部ＭＧ１を有する第１磁石と、第２着磁部ＭＧ２を有する第２磁石と、の二つの磁石で構成されていても良い。これにより、一つの磁石で構成する場合に比べて、検出用磁石７５からの大きな磁力が得られ易くなり、レンズ保持部材２の位置の検出精度を高めることができる。
【００９２】
＜変形例２＞
上記第１実施形態では、第１着磁部Ｍ１の上方側をＳ極、下方側をＮ極に着磁し、第２着磁部ＭＧ２の上方側をＮ極、下方側をＳ極に着磁して構成したが、これに限るものではなく、光軸方向ＫＤにおいて、第１着磁部ＭＧ１と第２着磁部ＭＧ２とが互いに逆の磁極となるように着磁されていれば良い。例えば、第１着磁部Ｍ１の上方側をＮ極、下方側をＳ極に着磁し、第２着磁部ＭＧ２の上方側をＳ極、下方側をＮ極に着磁しても良い。
【００９３】
＜変形例３＞
上記第１実施形態では、板状部材７９として、外部端子７９ｃと一体の導電部材７９ｄを基材部７９ｆに埋設したものを好適に用いたが、これに限るものではなく、例えば一般に用いられているプリント配線板(ＰＷＢ、printed wiring board)に外部端子７９ｃを実装したものを用いても良い。
【００９４】
＜変形例４＞
上記第１実施形態では、磁気検出部材７７として、ホール素子を用いて構成したが、これに限るものではなく、例えば磁気の変化によって抵抗が変化する磁気抵抗効果素子であっても良い。
【００９５】
本発明は上記実施の形態に限定されず、本発明の目的の範囲を逸脱しない限りにおいて適宜変更することが可能である。
【符号の説明】
【００９６】
２      レンズ保持部材
３      付勢部材
３Ａ        上側板ばね
３Ｃ、３Ｅ  下側板ばね
Ｒ４    固定側部材
４      筐体
１４    ケース
１４Ａ  側壁部
１４Ｃ  角部
３５    コイル
５５    駆動用磁石
Ｋ７    位置検出手段
７５    検出用磁石
ＭＧ１  第１着磁部
ＭＧ２  第２着磁部
７７    磁気検出部材
７９    板状部材
７９ｃ  外部端子
８      ベース部材
Ｔ９Ｃ、Ｔ９Ｅ  給電端子
ＫＤ    光軸方向
１０１  レンズ駆動装置
【図１】
2018004718.tif 000003
【図２】
2018004718.tif 000004
【図３】
2018004718.tif 000005
【図４】
2018004718.tif 000006
【図５】
2018004718.tif 000007
【図６】
2018004718.tif 000008
【図７】
2018004718.tif 000009
【図８】
2018004718.tif 000010
【図９】
2018004718.tif 000011
【図１０】
2018004718.tif 000012
【図１１】
2018004718.tif 000013
【図１２】
2018004718.tif 000014
【図１３】
2018004718.tif 000015
【図１４】
2018004718.tif 000016